(57)【要約】【構成】浮動パンチ（７４）を後退位置である脱離位置および繰り出し位置である係合位置に位置決めするパンチ位置変更保持体（８）である。この位置変更保持体は、位置変更保持体本体（１０）および位置変更保持体本体の底面から上向きに貫通形成したパンチ保持体を受け取る開口（２０）を有する。位置変更保持体本体のノーズ部分（１２）から遠い位置にある後退位置とこのノーズ部分に隣接する繰り出し位置との間においてアクチュエータ（１４）によって位置変更保持体本体に設けた当てへし部材（５０）を作動する。パンチ保持体を受け取る開口に受け取ることができる浮動パンチ保持体（６４）は、その上端で当てへし部材に係合する。浮動パンチ保持体内にパンチを受け取る孔（７２）を形成し、パンチ保持体を受け取る開口内で浮動パンチ保持体の長手方向中心線（６８）を中心にして回転できるようにパンチを受け取る孔を設定する。【選択図】図２
2008504965.tif 000002
【特許請求の範囲】
【請求項１】
浮動パンチ保持体（６４）を後退位置である脱離位置および繰り出し位置である係合位置に位置決めするパンチ位置変更保持体（８）において、
位置変更保持体本体の前端のノーズ部分（１２）および位置変更保持体本体の後端（１６）のアクチュエータ（１４）を有する位置変更保持体本体（１０）、
上記位置変更保持体本体の底面から上向きにこの位置変更保持体本体に貫通形成したパンチ保持体を受け取る開口（２０）、
上記位置変更保持体本体のノーズ部分から遠い位置にある後退位置と上記位置変更保持体本体のノーズ部分に隣接する繰り出し位置との間で上記アクチュエータによって作動可能な当てへし部材（５０）、
上記のパンチ保持体を受け取る開口内に受け取られることができる浮動パンチ保持体であって、この浮動パンチ保持体の上端（７１）を上記当てへし部材に係合する位置に位置決めし、そして前後方向に設定される長手方向中心線（６８）を設定する浮動パンチ保持体、および
上記浮動パンチ保持体に形成したパンチを受け取る孔（７２）からなり、
上記のパンチ保持体を受け取る開口内において上記長手方向中心線を中心にして回転できるように上記浮動パンチ保持体を構成したことを特徴とするパンチ位置変更保持体（８）。
【請求項２】
浮動パンチ保持体（６４）が長手方向中心線（６８）に関して全体として対称である請求項１記載のパンチ位置変更保持体（８）。
【請求項３】
パンチを受け取る孔（７２）を長手方向中心（６８）からずらして形成し、パンチ保持体を受け取る開口（２０）内の浮動パンチ保持体（６４）の回転によって、位置変更保持体本体（１０）のノーズ部分（１２）からのパンチを受け取る孔の距離が変化する請求項１記載のパンチ位置変更保持体（８）。
【請求項４】
浮動パンチ保持体（６４）が、パンチを受け取る孔（７２）に対して前後方向に少なくとも２つの異なる位置を設定し、パンチを受け取る孔の異なる各位置において実質的にパンチを受け取る孔に重なる位置まで当てへし部材（５０）が延長可能である請求項３記載のパンチ位置変更保持体（８）。
【請求項５】
浮動パンチ保持体（６４）が、上記浮動パンチ保持体の上端において横方向側部（４０、４２）を超えて延長する横方向延長部分（８８、９０）を有し、パンチ位置変更保持体本体（１０）に設定した押縁（２８、３０）に対して対向関係でこれら横方向延長部分を設けた請求項１記載のパンチ位置変更保持体（８）。
【請求項６】
一方の横方向延長部分（８８）および押縁（２８、３０）に爪要素（９８）を設け、これを他方の横方向延長部分（９０）の通路および上記押縁に作用させる請求項５記載のパンチ位置変更保持体（８）。
【請求項７】
横方向延長部分（８８、９０）のいずれか一つの位置および押縁（２８、３０）まで爪要素（９８）を移動できるようにして、パンチ位置変更保持体本体（１０）内の異なる位置にパンチを受け取る孔（７２）を位置決めできるようにした請求項６記載のパンチ位置変更保持体（８）。
【請求項８】
横方向延長部分（８８、９０）と押縁（２８、３０）との間に係合して、浮動パンチ保持体（６４）を上記後退位置までバイアスするばねバイアス手段（９３）を有する請求項５記載のパンチ位置変更保持体（８）。
【請求項９】
浮動パンチ保持体（６４）が、この浮動パンチ保持体の上端前後の側部（４４、４６）に形成された前後の傾斜部分（８４、８６）を有し、これらを当てへし部材（５０）に係合させる請求項１記載のパンチ位置変更保持体（８）。
【請求項１０】
浮動パンチ保持体（６４）が、パンチ保持体本体（６６）およびパンチ保持体本体に取り付けられた支持プレート（７０）からなり、傾斜部分（８４、８６）をこの支持プレート内に設けた請求項９記載のパンチ位置変更保持体（８）。
【請求項１１】
浮動パンチ保持体（６４）を後退位置である脱離位置および繰り出し位置である係合位置に位置決めするパンチ位置変更保持体（８）において、
位置変更保持体本体の前端のノーズ部分（１２）および位置変更保持体本体の後端（１６）のアクチュエータ（１４）を有する位置変更保持体本体（１０）、
上記位置変更保持体本体の底面から上向きにこの位置変更保持体本体に貫通形成したパンチ保持体を受け取る開口（２０）、
上記位置変更保持体本体のノーズ部分（１２）から遠い位置にある後退位置と上記位置変更保持体本体のノーズ部分に隣接する繰り出し位置との間で上記アクチュエータによって作動可能な当てへし部材（５０）、
上記のパンチ保持体を受け取る開口内に受け取られることができる浮動パンチ保持体であって、この浮動パンチ保持体の上端を上記当てへし部材に係合する位置に位置決めし、そして長手方向中心線（６８）を設定する浮動パンチ保持体（６４）、および
上記浮動パンチ保持体に形成したパンチを受け取る孔であって、上記長手方向中心線からずれた位置にあり、かつこの長手方向中心線と上記位置変更保持体本体のノーズ部分との間に設けられるパンチを受け取る孔（７２）からなり、
当てへし部材（５０）が、上記浮動パンチ保持体の上面（７１）に係合する下面（５３）を有し、この当てへし部材の下面を上記のパンチを受け取る孔に実質的に重なる位置まで延長可能にしたことを特徴とするパンチ位置変更保持体（８）。
【請求項１２】
長手方向中心線（６８）を中心にしてパンチ保持体を受け取る開口（２０）内でパンチを受け取る孔（７２）を反転可能にして、上記のパンチを受け取る孔を位置変更保持体本体（１０）内の２つの所定位置に位置決めする請求項１１記載のパンチ位置変更保持体（８）。
【請求項１３】
浮動パンチ保持体（６４）が長手方向中心線（６８）に関して全体として対称である請求項１２記載のパンチ位置変更保持体（８）。
【請求項１４】
さらに、ノーズ対ノーズ関係で一対の位置変更保持体本体（１０）を有し、浮動パンチ保持体（６４）が各位置変更保持体本体内に設けられるパンチを受け取る孔（７２）を設定し、長手方向中心線（６８）を中心にしてパンチ保持体を受け取る開口（２０）内でパンチを受け取る孔（７２）を反転可能にして、上記の各パンチを受け取る孔を位置変更保持体本体（１０）内の２つの所定位置に位置決めする請求項１１記載のパンチ位置変更保持体（８）。
【請求項１５】
各浮動パンチ保持体（６４）が、この浮動パンチ保持体の上端前後の側部（４４、４６）に形成された前後の傾斜部分（８４、８６）を有し、これらを当てへし部材（５０）に係合させる請求項１４記載のパンチ位置変更保持体（８）。
【請求項１６】
各浮動パンチ保持体（６４）および各位置変更保持体本体（１０）が、位置変更保持体本体それぞれの各浮動パンチ保持体の向きを設定する作用手段を有する請求項１５記載のパンチ位置変更保持体（８）。
【請求項１７】
浮動パンチ保持体（６４）を後退位置である脱離位置および繰り出し位置である係合位置に位置決めするパンチ位置変更保持体（８）において、
位置変更保持体本体の前端のノーズ部分（１２）および位置変更保持体本体の後端（１６）のアクチュエータ（１４）を有する位置変更保持体本体（１０）、
上記位置変更保持体本体の底面から上向きにこの位置変更保持体本体に貫通形成したパンチ保持体を受け取る開口（２０）、
上記位置変更保持体本体のノーズ部分から遠い位置にある後退位置と上記位置変更保持体本体のノーズ部分に隣接する繰り出し位置との間で上記アクチュエータによって作動可能な当てへし部材（５０）、
上記のパンチ保持体を受け取る開口内に受け取られることができる浮動パンチ保持体であって、この浮動パンチ保持体の上端（７１）を上記当てへし部材に係合する位置に位置決めし、そして前後方向に設定される長手方向中心線（６８）を設定する浮動パンチ保持体、および
上記浮動パンチ保持体内に設定され、かつ上記長手方向中心線からずれた位置にあるパンチを受け取る孔（７２）からなり、
上記長手方向中心線を中心にして上記のパンチ保持体を受け取る開口内で上記のパンチを受け取る孔を反転可能にして、上記のパンチを受け取る孔を上記位置変更保持体本体内の２つの所定位置に位置決めすることを特徴とするパンチ位置変更保持体（８）。
【請求項１８】
浮動パンチ保持体（６４）が長手方向中心線（６８）に関して全体として対称である請求項１７記載のパンチ位置変更保持体（８）。
【請求項１９】
浮動パンチ保持体（６４）が、この浮動パンチ保持体の上端前後の側部（４４、４６）に形成された前後の傾斜部分（８４、８６）を有し、これらを当てへし部材（５０）に係合させる請求項１８記載のパンチ位置変更保持体（８）。
【発明の詳細な説明】
【技術分野】
【０００１】
本発明は全体としてはパンチ／ダイ工作装置に使用するパンチ位置変更保持体に関し、具体的には浮動パンチ保持体の長手方向中心線を中心にして異なるパンチ保持位置を可逆的に設定する浮動パンチ保持体を有するパンチ位置変更保持体に関する。
【背景技術】
【０００２】
薄板金などの工作製品を製作するさい、製品となる工作物に一つかそれ以上の孔を形成する必要があることが多い。例えば、このような用途の場合、特に大量に工作製品を製造する場合、パンチとダイを組み合わせた工作装置を利用して、孔を形成している。パンチとダイを組み合わせた工作装置（以下、パンチ／ダイ工作装置と呼ぶ）では、下部のダイシューに向かって移動できるように上部ダイシューを支持する。代表例で説明すると、パンチ保持体を上部ダイシューに取り付け、パンチをダイシューに固定する。ダイブッシュ保持体によって対向するダイに固定したダイブッシュに向けてパンチを移動する。また、例えばキャップねじによってこれら保持体を着脱自在にそれぞれのダイシューに固定し、そしてパンチプッシュおよびダイブッシュについてもそれぞれの保持体内に着脱自在に固定する。それぞれのダイシューに上に保持体を位置決めし、工作物の所定の正確な位置に孔が形成するようにパンチおよび対応するダイブッシュを設定する。
【発明の開示】
【発明が解決しようとする課題】
【０００３】
パンチ／ダイ工作装置の使用効率を最大化するためには、パンチ／ダイ工作装置を再構成し、異なる工作に対処できるようにすればよい。このような再構成に関しては、工作すべき製品に対応する特定の位置でダイシューにパンチ／ダイブッシュ保持体を取り付ければ実現できる。あるいは、ある形式のパンチ／ダイ工作装置では、移動パンチ保持体がパンチを支持し、かつこの移動パンチ保持体をパンチ位置変更保持体ハウジングに装着するパンチ位置変更保持体を利用している。このパンチ位置変更保持体ハウジングは、例えば、移動パンチ保持体をこのハウジングのノーズ端部に設け、アクチュエータをこのハウジングの他端に向けて設けた細長い部材によって構成する。アクチュエータにより当てへし部材を作動し、パンチを繰り出して工作物をパンチする作動位置と、パンチがダイシューの移動時に工作物に係合しない位置までダイシューに向けてパンチを移動する後退位置との間において移動パンチ保持体を移動する。ダイシューに複数のパンチ位置変更保持体を設定し、工作装置に装着された工作物に所定の孔形成パターンでパンチを作動させるように対応するアクチュエータをプログラミングすることによって、選択されたパンチの作動および非作動に応じて異なる孔形成パターンを与えるようにパンチ／ダイ工作装置を簡単に再構成することができる。このようなパンチ位置変更保持体を使用すると、ある特定の工作に必要のないパンチを取り外す必要がなく、またパンチを手動設定せずにパンチを係合位置まで繰り出すことができるため、孔形成工作の工作装置を効率よく組み立てることができる。
【０００４】
ボールロック式パンチ保持体を利用するパンチ位置変更保持体の工作に関する規格化を確実に行うために、一般には、北アメリカ自動車メートル規格（ＮＡＡＭＳ）に従ってパンチ位置変更保持体構造を構成する。即ち、ダイシューの表面に係合するパンチ位置変更保持体本体の表面に設けた基準合わせピンから所定の距離にパンチ装置の中心を設定する。ＮＡＡＭＳ規格による寸法は、パンチ位置変更保持体を利用したパンチ／ダイ工作装置を対象として設計基準点を定めている。
【０００５】
パンチ位置変更保持体を利用する場合、複数のパンチ位置変更保持体を相互にノーズ対ノーズ関係で設け、隣接保持体のパンチによって形成される孔を狭い間隔で形成する。一般的に、隣接パンチ位置変更保持体のパンチ間隔は、保持体のノーズ部分に必要な材料の厚さだけでなく、ＮＡＡＭＳによる寸法拘束条件によって調節されるものである。さらに、パンチ位置変更保持体のコストは、通常の固定パンチ保持体よりも比較的高く、パンチ位置変更保持体の規格化寸法基準からの設計変更は一般的には経済的ではない。
【０００６】
このように、隣接パンチ工作間隔を相互に異ならせた位置などの異なる位置でパンチ工作を容易に設定でき、従ってパンチ／ダイ工作装置で広範な各種工作を実施でき、しかもパンチ工作を設定する産業上の規格に一致するパンチ位置変更保持体が望まれている。
【課題を解決するための手段】
【０００７】
本発明は、構成部品を実質的に交換せずにパンチ工作位置を変更できる装置を提供するものである。一つの具体的な態様では、パンチ位置変更保持体によって保持されるパンチ工作装置の位置を装置の往復移動方向に対して直角方向に設定し、複数のパンチ装置の位置を相互に変更する。
【０００８】
本発明の一つの態様によるパンチ位置変更保持体の場合、浮動パンチを後退位置である脱離位置および繰り出し位置である係合位置に設定する。即ち、位置変更保持体本体の前端のノーズ部分および位置変更保持体本体の後端のアクチュエータを有する位置変更保持体本体、上記位置変更保持体本体の底面から上向きにこの位置変更保持体本体に貫通形成したパンチ保持体を受け取る開口、上記位置変更保持体本体のノーズ部分から遠い位置にある後退位置と上記位置変更保持体本体のノーズ部分に隣接する繰り出し位置との間で上記アクチュエータによって作動可能な当てへし部材、上記のパンチ保持体を受け取る開口内に受け取られることができる浮動パンチ保持体であって、この浮動パンチ保持体の上端を上記当てへし部材に係合する位置に位置決めし、そして前後方向に設定される長手方向中心線を設定する浮動パンチ保持体、および上記浮動パンチ保持体に形成したパンチを受け取る孔からなり、上記のパンチ保持体を受け取る開口内において上記長手方向中心線を中心にして回転できるように上記浮動パンチ保持体を構成したパンチ位置変更保持体である。
【０００９】
本発明の別な態様は、浮動パンチ保持体を後退位置である脱離位置および繰り出し位置である係合位置に位置決めするパンチ位置変更保持体に関する。即ち、位置変更保持体本体の前端のノーズ部分および位置変更保持体本体の後端のアクチュエータを有する位置変更保持体本体、上記位置変更保持体本体の底面から上向きにこの位置変更保持体本体に貫通形成したパンチ保持体を受け取る開口、上記位置変更保持体本体のノーズ部分から遠い位置にある後退位置と上記位置変更保持体本体のノーズ部分に隣接する繰り出し位置との間で上記アクチュエータによって作動可能な当てへし部材、上記のパンチ保持体を受け取る開口内に受け取られることができる浮動パンチ保持体であって、この浮動パンチ保持体の上端を上記当てへし部材に係合する位置に位置決めし、そして長手方向中心線を設定する浮動パンチ保持体、および上記浮動パンチ保持体に形成したパンチを受け取る孔であって、上記長手方向中心線からずれた位置にあり、かつこの長手方向中心線と上記位置変更保持体本体のノーズ部分との間に設けられるパンチを受け取る孔からなり、当てへし部材が、上記浮動パンチ保持体の上面に係合する下面を有し、この当てへし部材の下面を上記のパンチを受け取る孔に実質的に重なる位置まで繰り出し可能にしたパンチ位置変更保持体である。
【００１０】
本発明のさらに別な態様は、浮動パンチ保持体を後退位置である脱離位置および繰り出し位置である係合位置に位置決めするパンチ位置変更保持体に関する。即ち、位置変更保持体本体の前端のノーズ部分および位置変更保持体本体の後端のアクチュエータを有する位置変更保持体本体、上記位置変更保持体本体の底面から上向きにこの位置変更保持体本体に貫通形成したパンチ保持体を受け取る開口、上記位置変更保持体本体のノーズ部分から遠い位置にある後退位置と上記位置変更保持体本体のノーズ部分に隣接する繰り出し位置との間で上記アクチュエータによって作動可能な当てへし部材、上記のパンチ保持体を受け取る開口内に受け取られることができる浮動パンチ保持体であって、この浮動パンチ保持体の上端を上記当てへし部材に係合する位置に位置決めし、そして前後方向に設定される長手方向中心線を設定する浮動パンチ保持体、および上記浮動パンチ保持体内に設定され、かつ上記長手方向中心線からずれた位置にあるパンチを受け取る孔からなり、上記長手方向中心線を中心にして上記のパンチ保持体を受け取る開口内で上記のパンチを受け取る孔を反転可能にして、上記のパンチを受け取る孔を上記位置変更保持体本体内の２つの所定位置に位置決めするパンチ位置変更保持体である。
【発明を実施するための最良の形態】
【００１１】
まず、図１について説明する。本発明の位置変更保持体は保持体本体１０からなり、この本体はノーズ部分１２と、位置変更保持体本体１０の後端部１６のアクチュエータ１４とを有する。位置変更保持体本体１０の当てへし部材スロット１８をアクチュエータ１４に隣接して設けるとともに、位置変更保持体本体１０のノーズ部分１２に隣接して、パンチ保持体を受け取る開口２０を設ける。さらに、位置変更保持体本体１０は、パンチプレスのダイシュー２４の下面に位置変更保持体本体１０を取り付ける締め付け具を受け取る取り付け開口２２を有する（図８）。さらに、ダイシュー２４の対応する孔に嵌合してダイシュー２４に位置変更保持体本体を正確に位置決めする合わせピンなどの位置決め部材を受け取る位置決め孔２６を設ける。
【００１２】
パンチを受け取る開口２０の横方向の両側部に、対向する押縁領域２８、３０を設ける。これら押縁領域２８、３０はそれぞればね座３２、３４および位置決め爪付き開口３６、３８を有する。横方向即部４０、４２を相互に平行に形成し、かつ前後の側部４４、４６を相互に平行に形成する好適な実施態様では、開口２０は対称形として構成する。これらの側部４０、４２および４４、４６が、パンチ保持体６４の上下往復移動時に、浮動パンチ保持体６４を案内する作用を行う（図２）。
【００１３】
図２および図３について説明する。図示した組み立て状態の位置変更保持体８は、アクチュエータ１４の往復作動ロッド５２に接合する当てへし部材５０を有する。この当てへし部材５０の前部延長部分５４が、位置変更保持体本体１０の押縁部分５６に重なり、押縁部分５６と位置変更保持体本体１０の支持プレート５８との間を走る。この延長部分５４は、その前端に傾斜部分６０を有する。傾斜部分６０は、傾斜部分６０が開口２０の後側部４６に隣接位置する後退位置（図２）と位置変更保持体本体１０のノーズ部分１２において開口２０の前側部４４に隣接する繰り出し位置（図３）との間で移動可能である。開口２０の前側部４４については、当てへし部材の延長部分５４の長い前進ストロークを受け取るクリアランス開口またはスロット６２を形成しておくのが好ましい。当てへし部材５０を移動させるアクチュエータ１４としては、空気圧シリンダが好ましい。なお、本発明の範囲で、他のアクチュエータ、例えば油圧式、電気式その他の形式のアクチュエータも使用可能である。
【００１４】
浮動パンチ保持体６４は上下に移動可能で、上部の後退位置である脱離位置（図２）と下部の繰り出し位置である係合位置（図３）との間で往復運動する。この浮動パンチ保持体６４は、パンチ保持体本体６６およびパンチ保持体６４の上端でパンチ保持体本体６６に取り付けられる支持プレート７０を有する。このパンチ保持体６４が横方向側部４０、４２と前後の側部４４、４６との間で開口２０のほぼ中心に長手方向中心線６８を設定する。パンチ保持体６４は長手方向中心線６８に関して全体として対称である。パンチを受け取る孔７２は、パンチ保持体本体６６を上下に貫通する孔であり、パンチ７４を受け取るために長手方向中心線６８からずれた位置にある。図２に示した構成では、パンチを受け取る孔７２の中心７５から位置決め孔２６の位置まで位置変更保持体８の長手方向中心線にそって取った距離ｄは、ＮＡＡＭＳ寸法に対応するように設定する（この点に関しては図８も参照）。傾斜設定した孔７８内に設けられ、かつコイル式圧縮ばね８２によってパンチ７４の胴部分内の凹部８０に締り係合するようにバイアスを作用させた球要素７６によって、パンチを受け取る孔７２内の所定位置にパンチ７４を保持する。なお、本発明は、パンチ７４を保持する図示の具体的な構造には制限されず、ヘッドを形成したパンチ構造など他のパンチ構造も可能である。さらに、本発明の位置変更保持体８はＮＡＡＭＳ寸法に対応する寸法を与えるように設計されているが、本発明の範囲はこの具体的な寸法に制限されるものではない。
【００１５】
支持プレート７０に形成する第１傾斜部分８４および第２傾斜部分８６は、それぞれ支持プレート７０の後側部および前側部に設ける。図２および図３から理解できるように、当てへし部材５０がその遠い位置から前方に位置変更保持体本体１０のノーズ部分１２に向かって進むと、第１傾斜部分８４が当てへし部材５０の傾斜部分６０に係合し、浮動パンチ保持体６４が繰り出し位置まで移動し、ダイシュー２４の往復動作時に、パンチ７４の下に来ている工作物にパンチ７４の端部が係合する。浮動パンチ保持体６４は、当てへし部材の延長部分５２の厚さに等しい距離下向きに移動することになる。この位置で、当てへし部材の延長部分５２の下面５３が、支持プレート７０の上面７１に係合し、支持プレート７０の上面７１に対して支持要素を支持する。当てへし部材５０が後退すると、浮動パンチ保持体６４が非作動後退位置に戻り、ダイシュー２４の往復動作時に、工作物から脱離する。
【００１６】
図４および図５について説明する。支持プレート７０に形成した横方向延長部分８８、９０は、パンチ保持体本体６６のそれぞれの側部９２、９４を超えて、外向き横方向に繰り出し、押縁２８、３０に面して設定される。バネ座３２、３４に着座し、パンチ保持体６４を後退位置にバイアスするバイアス作用力を与えるばね９３（ひとつのみを図示）を各横方向延長部分８８、９０の下面に係合する。さらに、横方向延長部分８８には、爪付き開口３６内に設けた爪要素９８に作用する通路９６を形成する。爪要素９８としては、支持プレート７０内の通路９６内に係合する止めねじ、合わせピンやその他類似の延長部材で構成すればよい。爪要素９８が通路９６に作用するため、浮動パンチ保持体６４を特定の向きで位置変更保持体本体１０として確実に組み立てることができる。パンチ保持体６４を特定の向きから回転すると、爪要素９８が支持プレート７０に係合し、当てへし部材５０の作動時に、パンチ保持体６４が作動することを防止できる。従って、浮動パンチ保持体６４を位置変更保持体本体１０から外したときに、位置変更保持体を正しく確実に組み立てることができ、また再組み立てできる。位置変更保持体本体１０においてパンチ保持体６４を正しく組み立てると、爪要素９８が通路９６に上下に滑り係合した状態で、横方向延長部分８８、９０の下面がそれぞれの押縁２８、３０に向かって進むように、パンチ保持体６４を作動し、これを下向きに移動させることができる。なお、通路９６は図示のように開口としているが、横方向延長部分８８側部の切欠きとしてもよく、同様に爪要素９８に対してクリアランスを与えることができる。
【００１７】
図６および図７について説明する。位置変更保持体本体１０内の別な位置にパンチを受け取る孔７２を設定した場合を示す。この場合、パンチを受け取る孔７２は、図２および図３の場合よりもさらに位置変更保持体本体１０のノーズ部分１２に近づけて設定する。本発明のこの実施態様によれば、パンチ保持体６４は長手方向中心線６８を中心として回転でき、支持プレート７０の第２傾斜部分８６を当てへし部材５０の傾斜部分６０に隣接配置できる。パンチ６４を回転された向きに作動させるためには、押縁２８上の爪付き開口３６から反対側の押縁３０上の爪付き開口３８に爪部材９８を移動する必要がある。このように、回転された向きでは、横方向延長部分８８内の通路９６は、押縁３０上の爪要素９８に重なるため、位置変更保持体本体１０内でパンチ保持体６４を確実に正しく組み立てることができる。
【００１８】
図６に、当てへし部材の傾斜部分６０の隣接位置に支持プレートの傾斜部分８６が設定されている後退位置にあるパンチ保持体６４を示す。また、図７に、パンチ７４の下にある工作物にパンチ加工する繰り出し位置にあるパンチ保持体６４を示す。なお、延長部分５２の下面５３がパンチを受け取る孔７２の円周範囲に実質的に重なり、パンチ７４の後側に全支持面が来るように構成して、パンチ工作時に発生する実質的な力を相殺するように、当てへし部材５０のストロークを長く設定する。位置変更保持体本体１０のノーズ部分１２に隣接して形成したスロット６２が当てへし部材の延長部分５４の傾斜端部を受け取り、延長部分５４の下面５３が支持プレート７０の上面７１に係合した場合に発生するような、パンチを受け取る孔７２の後側でパンチ保持体６４を完全に支持するために必要な別なストロークを吸収するように構成する。
【００１９】
図８に、本発明の位置変更保持体８のうち２つを相互にノーズ対ノーズ関係でダイシュー２４に取り付けた本発明の適用例を示す。実線で示すパンチを受け取る孔７２によって図示するように、パンチ保持体６４の一つの構成の場合、パンチ間隔については、パンチによって形成すべき孔に対して広い、即ち従来と同様な間隔ｘを与えるように選択することができる。点線で示すパンチを受け取る孔７２´によって図示するように、パンチ保持体の別な構成の場合、パンチ間隔については、位置変更保持体８によって作動するパンチによって形成すべき孔間により小さな間隔ｙを与えるように選択することができる。図示から理解できるように、パンチ間の間隔を変更し、別な構成に対して同じ位置変更保持体構造を利用することによって、パンチ／ダイ工作装置における再構成パンチ工作に通常伴うコストを削減した状態で、別な工作オプションが得られる。なお、隣接位置変更保持体８間の間隔を変更、即ち大きくとることによって、間隔を変更することができる。この場合、パンチ保持体６４をそれぞれの位置変更保持体８内に配設すると、位置変更保持体８の任意の所定間隔で複数の構成を得ることができる。
【００２０】
また、爪付き開口および爪を受け取る通路の位置を反転すると、爪要素を浮動パンチ保持体に取り付けることができ、また作用通路を位置変更保持体本体に形成することができる。あるいは、別な作用要素を設けると、パンチ保持体を所望の回転向きに位置決めすることが簡単になる。例えば、パンチを受け取る孔を位置変更保持体本体に対して異なる位置に位置決めすることが簡単になる。なお、具体的な方向の向きに関して上、下、前、後、上部、底部などの用語を使用してきたが、いずれも本発明実施例を説明するための相対的な用語であり、本発明実施態様の装置の具体的な取り付けや向きを制限するものではない。
【００２１】
以上、本発明を好適な実施態様に関して詳細に説明してきたが、特許請求の範囲に記載された発明の範囲から逸脱しなくても、変更などが可能である。
【図面の簡単な説明】
【００２２】
【図１】パンチ位置変更保持体本体の支持プレートを外した状態にある、本発明のパンチ位置変更保持体本体を示す上面図である。
【図２】浮動パンチ保持体本体が第１の向きにあり、かつ後退位置にある、本発明のパンチ位置変更保持体の一部断面側面図である。
【図３】浮動パンチ保持体が図２の向きにあり、かつ繰り出し位置にある状態を示す一部断面側面図である。
【図４】組み立て状態にあるパンチ位置変更保持体を示す図１の４−４線に沿って取った一部断面端面図である。なお、実線は、パンチ保持体本体を示す。
【図５】浮動パンチ保持体の上面図である。
【図６】浮動パンチ保持体が第２の向きにあり、かつ後退位置にある状態を示す一部断面側面図である。
【図７】浮動パンチ保持体本体が図６の向きにあり、かつ繰り出し位置にある、本発明のパンチ位置変更保持体の一部断面側面図である。
【図８】ノーズ対ノーズ関係で配置された本発明の２つのパンチ位置変更保持体を示す底面図で、浮動パンチ保持体によって相互に接近して保持されたパンチの位置を示す図である。
【符号の説明】
【００２３】
８：パンチ位置変更保持体、
１０：パンチ位置変更保持体本体、
１２：ノーズ部分、
１４：アクチュエータ、
１６：後端、
２０：パンチ保持体を受け取る孔、
２８、３０：押縁、
５０：当てへし部材、
６４：浮動パンチ保持体、
６６：パンチ保持体本体、
６８：長手方向中心線、
７０：支持プレート、
７１：上端、
７２：パンチを受け取る孔、
８４、８６：傾斜部分、
８８、９０：横方向延長部、
９８：爪要。
【図１】
2008504965.tif 000003
【図２】
2008504965.tif 000004
【図３】
2008504965.tif 000005
【図４】
2008504965.tif 000006
【図５】
2008504965.tif 000007
【図６】
2008504965.tif 000008
【図７】
2008504965.tif 000009
【図８】
2008504965.tif 000010
【国際調査報告】
2008504965.tif 000011
2008504965.tif 000012
2008504965.tif 000013